(57)【要約】      （修正有）【課題】構造が簡単で取り扱い易い折り畳み可能な脚構造を提供する。【解決手段】パイプ材を矩形に曲折した脚本体２と、脚本体２を家具本体の底面に固定する取付け材３とを有し、その取付け材３には脚本体２の外周に整合する溝部５と、その溝部５に達するスリット６並びに螺着孔とを有する。さらに脚本体２の上端外周にストッパピン９を突設し、それが取付け材３のスリット６に挿通される。各脚本体２は、それを折り畳んだときフランジ部４側に位置すると共に、立脚したときそれがフランジ部４に対して垂直より少し超えた位置でストッパピン９がスリット６の端６ａに当接する。そしてその状態で、固定ビス８を螺着孔に螺着締結することにより、その立脚状態を固定する。【選択図】図３
0003162594.tif 000002
【実用新案登録請求の範囲】
【請求項１】
家具本体(1)の下端に互いに離間して突設され、折り畳み可能な一対の脚の構造であって、
パイプ材からなりその軸線が矩形に曲折された脚本体(2)と、
その脚本体(2)の上端を被嵌して、家具本体(1)の底面に固定される取付け材(3)と、を具備し、
前記取付け材(3)は、その上部両側に一対の取付け用のフランジ部(4)が突設されると共に、上面中央に前記脚本体(2)の外周に整合する溝部(5)を有し、その外周には前記溝部(5)に達するスリット(6)がその周方向に形成され、さらにその外周には前記溝部(5)まで達する固定ビス螺着孔(7)を有し、そこに固定ビス(8)が出入自在に螺着され、
前記脚本体(2)の上端外周には、ストッパピン(9)が突設され、それが前記スリット(6)に挿通され、
前記取付け材(3)の前記フランジ部(4)が前記家具本体(1)の下面に固定され、
前記一対の脚本体(2)は、それを折り畳んだときフランジ部(4)側に位置すると共に、それを立脚したとき、それが前記フランジ部(4)に対して垂直より少し超えた位置で、そのストッパピン(9)が前記スリット(6)の端(6a)に当接し、その状態で前記固定ビス(8)を締結することにより、その立脚状態が固定されることを特徴とする家具の脚構造。
【請求項２】
請求項１の家具の脚構造において、
家具本体(1)がソファーまたはソファーベッドであることを特徴とする家具の脚構造。
【考案の詳細な説明】
【技術分野】
【０００１】
本考案は、主とてソファーまたはソファーベッドの下面に突設される折り畳み可能な脚に関し、その脚がパイプ材からなるものに関する。
【背景技術】
【０００２】
下記特許文献１に記載の「折り畳み式ベッド装置」は、そのベッドフレームの長手方向両端及び中間位置に夫々コ字状に折り曲げた脚が回動自在に枢着されている。そして各脚間をリンクによって連結し、折り畳み状態及び使用状態の各位置を自在に保持している。
【先行技術文献】
【特許文献】
【０００３】
【特許文献１】特開平１１−１３７３７４号公報
【考案の概要】
【考案が解決しようとする課題】
【０００４】
従来の折り畳み可能な脚構造は、脚の起立をリンク機構によって保持するものであった。そのため構造が複雑であると共に、リンク自体が邪魔になる。さらには、組立て工数が多くなる欠点があった。
そこで本考案は、これらの問題点を解決することを課題とする。
【課題を解決するための手段】
【０００５】
本考案の家具の脚構造は、家具本体(1)の下端に互いに離間して突設され、折り畳み可能な一対の脚の構造であって、
パイプ材からなりその軸線が矩形に曲折された脚本体(2)と、
その脚本体(2)の上端を被嵌して、家具本体(1)の底面に固定される取付け材(3)と、を具備し、
前記取付け材(3)は、その上部両側に一対の取付け用のフランジ部(4)が突設されると共に、上面中央に前記脚本体(2)の外周に整合する溝部(5)を有し、その外周には前記溝部(5)に達するスリット(6)がその周方向に形成され、さらにその外周には前記溝部(5)まで達する固定ビス螺着孔(7)を有し、そこに固定ビス(8)が出入自在に螺着され、
前記脚本体(2)の上端外周には、ストッパピン(9)が突設され、それが前記スリット(6)に挿通され、
前記取付け材(3)の前記フランジ部(4)が前記家具本体(1)の下面に固定され、
前記一対の脚本体(2)は、それを折り畳んだときフランジ部(4)側に位置すると共に、それを立脚したとき、それが前記フランジ部(4)に対して垂直より少し超えた位置で、そのストッパピン(9)が前記スリット(6)の端(6a)に当接し、その状態で前記固定ビス(8)を締結することにより、その立脚状態が固定されることを特徴とする家具の脚構造である。
【０００６】
請求項２に記載の本発明は、請求項１の家具の脚構造において、
家具本体(1)がソファーまたはソファーベッドであることを特徴とする家具の脚構造である。
【考案の効果】
【０００７】
本考案の家具の脚構造は、折り畳み自在な一対の脚本体２が取付け材３により家具本体１の下端に取付けられ、その脚本体２を折り畳んだとき、それが取付け材３のフランジ部４側に位置すると共に、それを立脚したときフランジ部４に対して垂直より少し超えた位置でストッパピン９がスリット６の端6aに当接する。それにより、その立脚状態を安定して保持することができる。それと共に、その状態で固定ビス８を締結し、その立脚状態を容易に固定できる。また、搬送及び保管時にはその脚を折り畳みコンパクトにすることができ、取り扱い易い脚構造となる。
【０００８】
上記構造において、家具本体１がソファーまたはソファーベッドである場合には、比較的大きなそれらをコンパクトに保管及び搬送することができると共に、その立脚及び固定が容易なものとなる。
【図面の簡単な説明】
【０００９】
【図１】本考案の脚構造の要部断面図であって、脚本体２を立脚させた状態を示す。
【図２】同斜視略図であって、脚本体２を折り畳んだ状態を示す。
【図３】同要部斜視図であって、脚本体２を立脚させた状態を示す。
【図４】本考案の脚構造と家具本体１との関係を示す斜視図。
【図５】同一対の脚本体２と家具本体１との関係を示す斜視図。
【考案を実施するための形態】
【００１０】
次に、図面に基づいて本考案の実施の形態につき説明する。
本考案は、主としてソファーやソファーベッドの下端に立設する一対の脚構造に関する。一例として図４及び図５に示す如く、家具本体１がソファーの場合には、その長手方向両端部下面に一対の脚本体２が取付け材３を介して折り畳み自在に取付けられるものである。脚本体２は、パイプ材からなりその軸線を矩形に曲折すると共に、その下端側に一対の滑り止め12を被嵌したものである。なお、この滑り止め12は無くてもよい。
【００１１】
次に、取付け材３は図１〜図３に示す如く、その幅方向両側に一対の取付け用のフランジ部４が平面方向に突設されると共に、その上面中央に溝部５を有する。この溝部５は、溝底がＵ字状に形成され、それが脚本体２の外周面に整合する。なお、そのＵ字に代えてΩ型であってもよい。その場合、溝部５の開口が拡縮できる弾性材で形成する。
そして取付け材３の外周面には、この例では図２，図３に示す如く、その長手方向両端部に一対のスリット６が周方向に形成されている。このスリット６は、取付け材３のフランジ部からそれを基準として９０度より僅か多い角度まで形成されている。そのスリット６の深さは溝部５まで達する。
【００１２】
また、取付け材３の長手方向中央両側には一対の凸部11が突設され、そこに図２の如く、雌ねじを有する螺着孔７が形成されている。螺着孔７は溝部５まで達する。この螺着孔７には、固定ビス８が出入自在に螺着される。さらにフランジ部４には、夫々一対づつの取付け孔13が形成され、そこに取付けビス10が挿通される。
このような取付け材３は、一例としてプラスチックの成形体から形成することができる。それに代えて、金属で作ることも可能である。
【００１３】
脚本体２の上端部の長手方向両端位置には、夫々一対づつのストッパピン９が溶接等の固定手段より脚本体２に固定して突設されている。このストッパピン９は図２に示す如く、脚本体２を水平位置に折り畳んだとき、それが取付け材３のフランジ部４上に配置される角度に突設される。そして脚本体２を起立し且つ、図１の如く、フランジ部４に対して垂直の角度より僅かに超えたＬの位置で、スリット６の端6aに当接するものとしている。
【００１４】
そして、図１の如く脚本体２を鎖線の状態から実線の状態に起立させたとき、ストッパピン９が端6aに当接することによってその状態を安定して保持することができる。次いで、固定ビス８を締結し、その先端を脚本体２の上端外周に圧着係止することにより、脚本体２の起立位置を確固に固定し、衝撃等で不用意に折り畳まれることを防止できる。
固定ビス８を緩め、一対の脚本体２を折り畳み状態を保持することができる。折り畳み状態では、家具全体の占有スペースをコンパクトにし、保管や輸送に適する。
【００１５】
このような脚構造は、図４に示す如く、家具本体１の下面側に一対づつ、取付け材３に取付けビス10を介して取付けられる。この例では、ソファーについて示したが、それに変えてソファーベッドの脚構造とすることもできる。
さらには、各種家具の脚構造とすることも可能である。例えば、テーブルや脚付き書棚或いは脚付きボックス等の脚構造とすることも可能である。
【符号の説明】
【００１６】
１  家具本体
２  脚本体
３  取付け材
４  フランジ部
５  溝部
６  スリット
6a  端
７  螺着孔
８  固定ビス
９  ストッパピン
10  取付けビス
11  凸部
12  滑り止め
13  取付け孔
【図１】
0003162594.tif 000003
【図２】
0003162594.tif 000004
【図３】
0003162594.tif 000005
【図４】
0003162594.tif 000006
【図５】
0003162594.tif 000007